(57)【要約】【課題】  構真柱周りの余盛りコンクリートを簡便且つ安価に除去することができるうえ、杭頭下層部の健全なコンクリートを乱さず、混合廃棄物処分に関しても環境に配慮した杭頭余盛り部処理方法を提供する。【解決手段】  構真柱１は、平断面視でウェブ部が十字状となるように２本のＨ形鋼を組み合わせた形状をしているクロスＨ形鋼であって、場所打ちコンクリート杭６の中心軸に沿って杭頭部に建て込まれる。構真柱１を構成するウェブ１ｗとフランジ１ｆによって画成された各凹部２の内周面には、処理シート３の下縁が設計杭天端より上方に約５０〜１００ｍｍの位置となるように、且つ、ウェブ１ｗとフランジ１ｆまたはウェブ１ｗとウェブ１ｗが交差する隅角部に間隙３ａが形成されるように、処理シート３が接着テープ４により装着されている。【選択図】      図２
2005350958.tif 000002
【特許請求の範囲】
【請求項１】
構真柱を有する場所打ちコンクリート杭を施工する際に杭頭部の余盛りコンクリートを破砕除去する杭頭余盛り部処理方法であって、
前記構真柱が余盛りコンクリートに覆われる前に、生分解性プラスチックを発泡させてシート状に形成した処理シートを、前記構真柱凹部の内周面に、少なくとも隅角部に間隙が形成されるように予め装着しておき、前記凹部の余盛りコンクリートが硬化した後、当該余盛りコンクリートを破砕除去することを特徴とする杭頭余盛り部処理方法。
【請求項２】
前記構真柱の外周部に前記処理シートを予め巻き付けることを特徴とする請求項１に記載の杭頭余盛り部処理方法。
【請求項３】
構真柱を有する場所打ちコンクリート杭を施工する際に杭頭部の余盛りコンクリートを破砕除去する杭頭余盛り部処理方法であって、
前記構真柱が余盛りコンクリートに覆われる前に、生分解性プラスチックを発泡させてシート状に形成した処理シートを、前記構真柱の外周部に予め巻き付けておき、前記余盛りコンクリートが硬化した後、当該余盛りコンクリートを破砕除去することを特徴とする杭頭余盛り部処理方法。
【請求項４】
テープ状の生分解性プラスチックに粘着材を塗布した接着テープにより、前記処理シートを前記構真柱に装着して固定することを特徴とする請求項１乃至３のいずれかに記載の杭頭余盛り部処理方法。
【発明の詳細な説明】
【技術分野】
【０００１】
本発明は、構真柱を有する場所打ちコンクリート杭を施工する際に杭頭部の余盛りコンクリートを破砕除去する杭頭余盛り部処理方法に関する。
【背景技術】
【０００２】
場所打ちコンクリート杭の施工においては、杭頭部に泥やスライム等が集中してコンクリートの品質が低下するため、設計杭天端より５００〜８００ｍｍ程度余分にコンクリート（余盛りコンクリート）を打設し、コンクリート硬化後に余盛りコンクリートを斫って除去することにより杭の品質を確保している。しかし、この余盛りコンクリートを斫る作業は、かなりの手間を要するうえ、騒音と振動を伴う作業となる。特に、Ｈ形鋼やクロスＨ形鋼などからなる構真柱を場所打ちコンクリート杭内に設置する場合は、構真柱周りの余盛りコンクリートを除去しなければならず、この作業に多くの時間と労力を費やさねばならない。
そのため、構真柱の凹部に土のう袋や発泡スチロールで形成した縁切り材を嵌合せしめ、これによって前記凹部を無くす方策が採られている（例えば、特許文献１および２参照。）。
【特許文献１】特開平６−２６４４４１号公報  （第２−３頁、第１図）
【特許文献２】特開平１０−２９８９７９号公報  （第２−３頁、第１図）
【発明の開示】
【発明が解決しようとする課題】
【０００３】
しかしながら、従来の方法では、縁切り材の材料費および縁切り材の取り付け費用が嵩むことに加え、余盛りコンクリートの斫り作業中に、縁切り材が余盛りコンクリートと混合して混合廃棄物となるため、分別回収が難しいという問題がある。また、コンクリート打設後に杭内に構真柱を挿入して設置する場合は、縁切り材が、泥やスライム混じりの余盛りコンクリートを上方から下方に押し付けるため、杭頭下層部の健全なコンクリートが乱されるおそれもある。
本発明は、上述する問題点に鑑みてなされたもので、構真柱周りの余盛りコンクリートを簡便且つ安価に除去することができるうえ、杭頭下層部の健全なコンクリートを乱さず、混合廃棄物処分に関しても環境に配慮した杭頭余盛り部処理方法を提供することを目的とする。
【課題を解決するための手段】
【０００４】
上記目的を達成するため、本発明に係る杭頭余盛り部処理方法では、構真柱を有する場所打ちコンクリート杭を施工する際に杭頭部の余盛りコンクリートを破砕除去する杭頭余盛り部処理方法であって、前記構真柱が余盛りコンクリートに覆われる前に、生分解性プラスチックを発泡させてシート状に形成した処理シートを、前記構真柱凹部の内周面に、少なくとも隅角部に間隙が形成されるように予め装着しておき、前記凹部の余盛りコンクリートが硬化した後、当該余盛りコンクリートを破砕除去することを特徴とする。
ここで、生分解性プラスチックとは、土中や水中に生息する微生物の働きにより分解されて二酸化炭素や水になるプラスチックのことである。また、凹部とは、構真柱の材軸方向から見て当該構真柱を構成しているウェブやフランジなどの鋼板で画成されるとともに、周縁の一部が外方に開放した空間のことである。
【０００５】
本発明では、生分解性プラスチックを発泡させてシート状に形成した処理シートを構真柱凹部の内周面に予め装着しているので、構真柱凹部の余盛りコンクリートと構真柱とは縁が切れており、構真柱凹部の余盛りコンクリートを容易に破砕除去することができる。その結果、施工の効率化、工期の短縮、および騒音・振動の低減が図られる。しかも、処理シートを構真柱凹部の内周面に密着させるのではなく、少なくとも隅角部に間隙が形成されるように装着するので、余盛りコンクリートと構真柱との縁切り効果をより高めることができる。
また、生分解性プラスチックは土中で最終的に二酸化炭素と水に分解されるため、処理シートを産業廃棄物として分別回収して処分する必要がなく、環境にもやさしい工法である。
さらに、本発明では、処理シートは生分解性プラスチックを発泡させて単なるシート状に成形したものであるため安価に製造することができるうえ、処理シートの装着作業は何ら面倒なく簡単に行うことができるので取り付け費用も大幅に削減することができる。
加えて、本発明では、処理シートが薄肉であるため、従来の縁切り材のように杭頭部の健全なコンクリートを乱さずに構真柱を設置することが可能となる。
【０００６】
また、本発明に係る杭頭余盛り部処理方法では、前記構真柱の外周部に前記処理シートを予め巻き付けてもよい。
本発明では、構真柱凹部の内周面に加えて構真柱の外周部に処理シートを予め巻き付けているので、構真柱凹部および構真柱外周部の余盛りコンクリートと構真柱とは縁が切れ、構真柱凹部および構真柱外周部の余盛りコンクリートの破砕除去が容易となる。
【０００７】
また、本発明に係る杭頭余盛り部処理方法では、構真柱を有する場所打ちコンクリート杭を施工する際に杭頭部の余盛りコンクリートを破砕除去する杭頭余盛り部処理方法であって、前記構真柱が余盛りコンクリートに覆われる前に、生分解性プラスチックを発泡させてシート状に形成した処理シートを、前記構真柱の外周部に予め巻き付けておき、前記余盛りコンクリートが硬化した後、当該余盛りコンクリートを破砕除去することを特徴とする。
本発明では、構真柱の外周部に処理シートを予め巻き付けているので、構真柱外周部の余盛りコンクリートと構真柱とは縁が切れ、構真柱外周部の余盛りコンクリートの破砕除去が容易となる。
【０００８】
また、本発明に係る杭頭余盛り部処理方法では、テープ状の生分解性プラスチックに粘着材を塗布した接着テープにより、前記処理シートを前記構真柱に装着して固定すればよい。
本発明では、テープ状の生分解性プラスチックに粘着材を塗布した接着テープを用いて処理シートを構真柱に装着して固定するので、処理シートの装着作業をより容易に且つ確実に行い得るし、接着テープはいずれ自然消滅してしまうので接着テープを産業廃棄物として分別回収して処分する必要がない。
【発明の効果】
【０００９】
本発明によれば、生分解性プラスチックを発泡させてシート状に形成した処理シートを、構真柱凹部の内周面に、少なくとも隅角部に間隙が形成されるように予め装着し、あるいは、構真柱の外周部に処理シートを予め巻き付けることにより、構真柱周囲の余盛りコンクリートを簡便且つ安価に除去することができるうえ、杭頭下層部の健全なコンクリートを乱さず、混合廃棄物処分に関しても環境に配慮した杭頭余盛り部処理方法を実現することができる。
【発明を実施するための最良の形態】
【００１０】
以下、本発明に係る杭頭余盛り部処理方法の実施形態について図面に基いて説明する。
図１は、本発明に係る杭頭余盛り部処理方法の第一の実施形態を示す斜視図である。また、図２は、同実施形態の立断面図および平断面図である。
図１および２に示すように、構真柱１は、平断面視でウェブ部が十字状となるように２本のＨ形鋼を組み合わせた形状をしているクロスＨ形鋼であって、場所打ちコンクリート杭６の中心軸に沿って杭頭部に建て込まれる。
構真柱１を構成するウェブ１ｗとフランジ１ｆによって画成された各凹部２の内周面には、処理シート３の下縁が設計杭天端より上方に約５０〜１００ｍｍの位置となるように、且つ、ウェブ１ｗとフランジ１ｆまたはウェブ１ｗとウェブ１ｗが交差する隅角部に間隙３ａが形成されるように、処理シート３が接着テープ４により装着されている。
【００１１】
処理シート３は、生分解性プラスチックを主成分とし、１０倍程度の発泡倍率で発泡させて厚さ数ｍｍ程度、幅８００ｍｍ程度の長尺シート状としたものである。
また、接着テープ４は、厚さ数百μｍ程度、幅最大２００ｍｍ程度、長さ最大２００ｍｍ程度の生分解性プラスチックフィルムに粘着材を塗布したものである。
【００１２】
隅角部の間隙３ａには、余盛りコンクリート５が入らないように接着テープ４で塞いだり、処理シート３の残材等を丸め込みながら挿入した後、処理シート３の端部を接着テープ４で固定すればよい。
【００１３】
構真柱１の杭６内への建込みは、コンクリート打設前に予め構真柱１を杭６内の中央部にセットしておいてもよいし、コンクリートを杭６内へ打設し、コンクリートが硬化する前に杭６内の中央部に構真柱１を挿入してセットしてもよい。
そして、コンクリートが硬化した時点で、一般的な杭頭斫り方法と同様に、余盛りコンクリート５の上部および側面部から処理シート３の面で剥離させるように、ブレイカーで余盛りコンクリート５を斫ればよい。
【００１４】
本実施形態による杭頭余盛り部処理方法では、生分解性プラスチックを発泡させてシート状に形成した処理シート３を構真柱１凹部２の内周面に接着テープ４により予め装着しているので、構真柱１凹部２の余盛りコンクリート５と構真柱１とは縁が切れており、構真柱１凹部２の余盛りコンクリート５を容易に破砕除去することができる。その結果、施工の効率化、工期の短縮、および騒音・振動の低減が図られる。しかも、処理シート３を構真柱１凹部２の内周面に密着させるのではなく、少なくとも隅角部に間隙３ａが形成されるように装着するので、余盛りコンクリート５と構真柱１との縁切り効果をより高めることができる。
また、生分解性プラスチックは土中で最終的に二酸化炭素と水に分解されるため、処理シート３を産業廃棄物として分別回収して処分する必要がなく、環境にもやさしい工法である。接着テープ４もいずれ自然消滅してしまうので接着テープ４を産業廃棄物として分別回収して処分する必要もない。
さらに、本実施形態による杭頭余盛り部処理方法では、処理シート３は生分解性プラスチックを発泡させて単なるシート状に成形したものであるため安価に製造することができるうえ、処理シート３の装着作業は何ら面倒なく簡単に行うことができるので取り付け費用も大幅に削減することができる。
加えて、本実施形態による杭頭余盛り部処理方法では、処理シート３が薄肉であるため、従来の縁切り材のように杭頭部の健全なコンクリートを乱さずに構真柱１を設置することが可能となる。
【００１５】
図３は、本発明に係る杭頭余盛り部処理方法の第二の実施形態を示す斜視図である。
図３に示すように、本実施形態では、第一の実施形態に加えて、構真柱１の外周部に処理シート７を巻き付けて接着テープ４により固定したものである。
【００１６】
本実施形態による杭頭余盛り部処理方法では、構真柱１の外周部に処理シート７を巻き付けているので、第一の実施形態の作用効果に加えて、構真柱１外周部の余盛りコンクリート５と構真柱１とは縁が切れ、構真柱１外周部の余盛りコンクリート５の破砕除去が容易となる。
【００１７】
図４は、本発明に係る杭頭余盛り部処理方法の第三の実施形態を示す斜視図である。また、図５は、同実施形態の立断面図および平断面図である。
図４および５に示すように、本実施形態では、第一および第二の実施形態と異なり、構真柱１１にＨ形鋼を使用している。
構真柱１１を構成するウェブ１１ｗとフランジ１１ｆによって画成された各凹部１２の内周面には、処理シート１３の下縁が設計杭天端より上方に約５０〜１００ｍｍの位置となるように、且つ、ウェブ１１ｗとフランジ１１ｆが交差する隅角部に間隙１３ａが形成されるように、処理シート１３が接着テープ１４により装着されている。
【００１８】
図６は、本発明に係る杭頭余盛り部処理方法の第四の実施形態を示す斜視図である。
図６に示すように、第三の実施形態に加えて、構真柱１１の外周部に処理シート１７を巻き付けて接着テープ１４により固定したものである。
【００１９】
第三および第四の実施形態による杭頭余盛り部処理方法も第一および第二の実施形態による杭頭余盛り部処理方法と同様の作用効果を奏する。
【００２０】
以上、本発明に係る杭頭余盛り部処理方法の実施形態について説明したが、本発明は上記の実施形態に限定されるものではなく、その趣旨を逸脱しない範囲で適宜変更可能である。例えば、上記の実施形態では、構真柱としてクロスＨ形鋼およびＨ形鋼を使用した例を示しているが、他の形状を有する構真柱でもよいことは言うまでもない。また、構真柱凹部の内周面に処理シートを装着せずに、構真柱の外周部に処理シートを巻き付けるだけでもよい。要は、構真柱の形状や断面寸法に応じて処理シートの装着方法を選択すればよいのである。
【図面の簡単な説明】
【００２１】
【図１】本発明に係る杭頭余盛り部処理方法の第一の実施形態を示す斜視図である。
【図２】同、立断面図および平断面図である。
【図３】本発明に係る杭頭余盛り部処理方法の第二の実施形態を示す斜視図である。
【図４】本発明に係る杭頭余盛り部処理方法の第三の実施形態を示す斜視図である。
【図５】同、立断面図および平断面図である。
【図６】本発明に係る杭頭余盛り部処理方法の第四の実施形態を示す斜視図である。
【符号の説明】
【００２２】
１、１１  構真柱
２、１２  凹部
３、７、１３、１７  処理シート
４、１４  接着テープ
５、１５  余盛りコンクリート
６、１６  場所打ちコンクリート杭
【図１】
2005350958.tif 000003
【図２】
2005350958.tif 000004
【図３】
2005350958.tif 000005
【図４】
2005350958.tif 000006
【図５】
2005350958.tif 000007
【図６】
2005350958.tif 000008